(57)【要約】　　　（修正有）【課題】溶体化処理（熱処理）を排除し、従来品に比し堅牢且つ低コストで製造可能な時計バンドの提供。【解決手段】両側に配置される縁駒１，１と該縁駒１，１の間に配置される中駒２戸から成り、前記縁駒１，１と中駒２を軸ピン３によって連結するようになる時計バンドに於いて、前記縁駒１，１と中駒２の連結部に連結孔４を穿設すると共に、該連結孔４に１本の軸ピン３を遊嵌して縁駒１，１と中駒２を連結し、縁駒１．１の外側に開口する前記連結孔４の開口部４ａ，４ｂに打込ピン５を強制嵌入によって装着固定し、前記開口部４ａ，４ｂを閉塞するようにした。【選択図】　　図２
0003098919.tif 000002
【実用新案登録請求の範囲】
【請求項１】
両側に配置される縁駒１．１と該縁駒１．１の間に配置される中駒２とからなり、前記縁駒１．１と中駒２を軸ピン３によって連結するようになる時計バンドに於いて、前記縁駒１．１と中駒２の連結部に連結孔４を穿設すると共に、該連結孔４に１本の軸ピン３を遊嵌して縁駒１．１と中駒２を連結し、縁駒１．１の外側に開口する前記連結孔４の開口部４ａ，４ｂに打込ピン５を強制嵌入によって装着固定し、前記開口部４ａ，４ｂを閉塞するようになる時計バンド。
【請求項２】
前記縁駒１．１に穿設した連結孔４は、一方の縁駒１に一端から他端に貫通する連結孔４を、他方の縁駒１には外側に開口しない盲孔４ｄとしたことを特徴とする請求項１記載の時計バンド。
【請求項３】
前記縁駒１．１における連結孔４の外側開口部に内周ネジ４ｃを、打込ピン５に外周ネジ５ａを設け、該打込ピン５を前記連結孔４に螺入固定して連結孔４の開口部を閉塞するようになる請求項１記載の時計バンド。
【請求項４】
連結駒６の一側面に連結用の突出部７を、他側面に連結用の切欠凹部８を形成し、該突出部７と切欠凹部８の両側に配置してなる連結部６ａに連結孔９を貫設すると共に、前記連結駒６の突出部７を他の連結駒６の切欠凹部８に組込み、前記連結孔９に１本の軸ピン１０を遊嵌して多数の連結駒を連結し、連結駒６の連結部６ａの外側に開口する連結孔９に打込ピン１１を強制嵌入によって嵌着固定し、連結孔９の開口部を閉塞するようになる時計バンド。
【考案の詳細な説明】
【０００１】
【考案の属する技術分野】
本考案は、時計バンドを構成する各駒の連結部を一本のストレートピンで連結し、且つ連結孔の開口部に打込ピンを打込んで開口部を閉塞するようにした時計バンドに関するものである。
【０００２】
【従来の技術】
時計バンドの両側に配置される縁駒と、該縁駒の内側に配置される中駒或いは飾り駒等を連結する際に軸ピンで連結することは周知であるが、従来のこの種バンドにおける連結手段は、縁駒の側面から挿入される夫々独立した２本の軸ピンで中駒、飾り駒等と縁駒とを連結するようにしている。
【０００３】
【考案が解決しようとする課題】
前記従来のバンドは、縁駒の内側に組込まれた中駒或いは飾り駒に対して夫々別々の２本の軸ピンを挿通して縁駒に連結するようになり、この手法によると組込後において溶体化処理（熱処理）を施す必要がある。この溶体化処理により鏡面に仕上げたものが曇ってしまうために再度鏡面仕上げをすることになって、作業に手間がかかり、コスト高を招く欠点がある。
【０００４】
本考案は、従来の溶体化処理を排除するようにして前記従来品の欠点を一掃し得る新規の時計バンドの提供を目的としたものである。
【０００５】
【課題を解決するための手段】
本考案は、前記の目的を達成する手段として、両側に配置される縁駒１．１と該縁駒１．１の間に配置される中駒２とからなり、前記縁駒１．１と中駒２を軸ピン３によって連結するようになる時計バンドに於いて、前記縁駒１．１と中駒２の連結部に連結孔４を穿設すると共に、該連結孔４に１本の軸ピン３を遊嵌して縁駒１．１と中駒２を連結し、縁駒１．１の外側に開口する前記連結孔４の開口部４ａ，４ｂに打込ピン５を強制嵌入によって装着固定し、前記開口部４ａ，４ｂを閉塞するようにした。
【０００６】
【考案の実施の形態】
本考案の具体的な構成を図にもとづいて説明すると、添付図は、種々のバリエーションを示したものであって、図１乃至図８において、両側に配置する縁駒１．１は、連結部材１２の両端に固定されており、該連結部材１２の中央部下側に切欠部１２ａが設けられており、この切欠部１２ａに飾り駒１３の切欠部１３ａが係合すると共に該飾り駒１３と縁駒１．１との間に形成される間隙部に夫々中駒２．２を介在させ、そして、前記縁駒１．１、飾り駒１３及び中駒２．２の連結部に貫設した連結孔４に、１本の軸ピン３を遊挿して縁駒１．１、飾り駒１３及び中駒２．２を連結し、縁駒１．１の外側面に開口する連結孔４の開口部４ａ，４ｂに短寸の打込ピン５を強制嵌入によって打込み、該開口部を閉塞すると同時に前記連結孔４内に遊嵌した軸ピン３の抜け出しを防止するようになる。
【０００７】
又、図３、図４、図６に示すように、縁駒１．１の一方の縁駒１に穿った連結孔４を完全な貫通孔とせずに、盲孔４ｄとすることも可能であり、更に図８に示すように、打込ピン５を螺子着にすることも可能であって、縁駒１．１の連結孔４の外側開口部４ａ，４ｂに内周ネジ４ｃを、打込ピン５に外周ネジ５ａを設け、打込ピン５を螺入することによって連結孔４の開口部４ａ，４ｂを閉塞する手段をとることもできる。
【０００８】
図９、図１０は、連結部材１２と縁駒１．１を一体的とした、所謂全体がＨ型に形成されており、前後の切欠部１２ｂに中駒２を組込み、該中駒２と前記縁駒１．１に貫設した連結孔４に１本の軸ピン３を挿通し、縁駒１．１の開口部４ａ，４ｂに打込ピン５を強制嵌入によって打込み固定し、開口部の閉塞と軸ピン３の抜け防止をし、また打込ピン５は前記のように螺子着にすることも可能であり、且つ、一方の縁駒１の連結孔４を盲孔４ｄにすることも可能である。
【０００９】
図１１、図１２は、連結部材１２の両端に固定された縁駒１．１と、該縁駒１．１の間に介在される中駒２とからなり、中駒２の一端に形成した切欠部２ａを連結部材１２上に位置するように配置し、縁駒１．１と中駒２との連結部に穿設した連結孔４に１本の軸ピン３を挿通し、縁駒１．１の連結孔４の開口部４ａ，４ｂに打込ピン５を強制嵌入或いは螺子着等によって嵌着固定し、又、一方の縁駒１の連結孔４を盲孔４ｄにすることも可能である。
【００１０】
図１３、図１４は、縁駒１．１の連結部材１２の下側に形成したスペースに中駒２を組込み、該中駒２と縁駒１．１の連結部に穿設した連結孔４に１本の軸ピン３を挿入し、縁駒１．１の外側開口部４ａ，４ｂに打込ピン５を強制嵌入或いは螺子着の手段によって嵌着固定してあり、一方の縁駒１の連結孔４を盲孔４ｄにすることも可能である。
【００１１】
図１５、図１６は、連結駒６の一側面に連結用の突出部７を、他側面に連結用の切欠凹部８を形成し、前記突出部７と切欠凹部８の両側に配置してなる連結部６ａに連結孔９を貫設し、連結駒６の突出部７を他の連結駒６の切欠凹部８に組込み、前記連結孔９に１本の軸ピン１０を遊嵌して多数の連結駒６を連結し、連結駒６の外側に開口する連結孔９の開口部に打込ピン１１を強制嵌入によって嵌着固定するが、螺子着によって固定し、開口部を閉塞すると同時に軸ピン１０の抜け出しを防止し、又、一方の連結駒６の連結孔９を盲孔にすることもある。
【００１２】
【考案の効果】
本考案は、前記の構成に係り、以下に列挙する諸効果を有する。
（１）各駒の連結孔に一本の軸を通して各駒を連結すると共に連結孔の外端開口部に打込ピンを強制嵌入或いは螺子着等により装着固定して該開口部を閉塞するようにしたので、従来の溶体化処理（熱処理）が不要となり、溶体化処理に伴う弊害を完全に排除することが可能となり、製品のコスト削減に大きく寄与し得る利点を有する。
（２）軸ピンに回転の負担がかからず、しかも打込ピンの存在によって軸ピンが支持されるようになっており、ピン抜け、ピン折れ等の故障が防止されて快適な使用が保障されると共に堅牢な時計バンドの提供が可能となる。
（３）連結孔に対して軸ピンの径を変えることにより、ガタの少ないバンドが容易に得られる。
【図面の簡単な説明】
図は本考案の実施例を示したもので、
【図１】本考案に係る時計バンドの斜視図
【図２】同要部を示す切欠平面図
【図３】同上分解斜視図
【図４】時計バンドの斜視図
【図５】同上要部を示す切欠平面図
【図６】同上分解斜視図
【図７】打込ピンを強制嵌入した状態の要部断面図
【図８】打込ピンを螺子着した状態の要部断面図
【図９】時計バンドの分解斜視図
【図１０】同上要部を示す切欠平面図
【図１１】時計バンドの分解斜視図
【図１２】同上要部を示す切欠平面図
【図１３】時計バンドの分解斜視図
【図１４】同上断面図
【図１５】時計バンドの分解斜視図
【図１６】同上要部を示す切欠平面図
【符号の説明】
１　　縁駒
２　　中駒
３　　軸ピン
４　　連結孔
５　　打込ピン
６　　連結駒
７　　突出部
８　　切欠凹部
９　　連結孔
１０　軸ピン
１１　打込ピン
【図１】
0003098919.tif 000003
【図２】
0003098919.tif 000004
【図３】
0003098919.tif 000005
【図４】
0003098919.tif 000006
【図５】
0003098919.tif 000007
【図６】
0003098919.tif 000008
【図７】
0003098919.tif 000009
【図８】
0003098919.tif 000010
【図９】
0003098919.tif 000011
【図１０】
0003098919.tif 000012
【図１１】
0003098919.tif 000013
【図１２】
0003098919.tif 000014
【図１３】
0003098919.tif 000015
【図１４】
0003098919.tif 000016
【図１５】
0003098919.tif 000017
【図１６】
0003098919.tif 000018